(57)【要約】【課題】ユーザが視聴したい放送場面が放送されていることを通知する。【解決手段】携帯端末装置１では、場面判定部６により、放送処理部５が取得した放送情報に、視聴対象の放送場面に含まれる、少なくとも音または画像を表す場面情報が含まれているか否かを判定し、放送通知部７により、場面判定部６が放送情報に場面情報が含まれていることを判定すると、放送場面が放送されていることが通知される。これにより、ユーザは、指定した放送場面が放送されていることが分かり、テレビ映像に表示を切り替えることができ、当該放送場面を逃すことなく視聴することができるようになる。【選択図】図１
2015126266.tif 000002
【特許請求の範囲】
【請求項１】
放送信号を受信する放送受信部と、
前記放送受信部が受信した前記放送信号を処理して、音声情報と映像情報とを具備する放送情報を取得する放送処理部と、
前記放送処理部が取得した前記放送情報に、視聴対象の放送場面に含まれる、少なくとも音または画像を表す場面情報が含まれているか否かを判定する場面判定部と、
前記場面判定部が前記放送情報に前記場面情報が含まれていることを判定すると、前記放送場面が放送されていることを通知する放送通知部と、
を有することを特徴とする携帯端末装置。
【請求項２】
表示部と、
前記放送通知部から前記放送場面が放送されていることが通知されると、前記表示部に前記放送信号に基づく映像を表示させる表示制御部と、
をさらに有することを特徴とする請求項１記載の携帯端末装置。
【請求項３】
前記音声情報は、背景に流れる音を表す背景音と、単語の発音とを含むことを特徴とする請求項１または２に記載の携帯端末装置。
【請求項４】
前記単語は人名であることを特徴とする請求項３記載の携帯端末装置。
【請求項５】
前記映像情報は、前記人名に対応する人の顔画像を含むことを特徴とする請求項４記載の携帯端末装置。
【請求項６】
放送受信部が受信した放送信号を処理して、音声情報と映像情報とを具備する放送情報を取得し、
取得した前記放送情報に、視聴対象の放送場面に含まれる、少なくとも音または画像を表す場面情報が含まれているか否かを判定し、
前記放送情報に前記場面情報が含まれていることを判定すると、前記放送場面が放送されていることを通知する、
ことを特徴とする放送通知方法。
【発明の詳細な説明】
【技術分野】
【０００１】
本発明は、携帯端末装置及び放送通知方法に関する。
【背景技術】
【０００２】
近年、携帯電話機、スマートフォンといった携帯端末装置は、本来の通話機能に加え、電子メールの送受信、インターネットを利用したホームページの閲覧、その他のアプリケーションプログラムの実行が可能である。
【０００３】
また、携帯端末装置では、テレビ放送受信によるテレビ視聴機能が備わっている機種がある（例えば、特許文献１参照）。
【先行技術文献】
【特許文献】
【０００４】
【特許文献１】特開２００６−３３６９１号公報
【発明の概要】
【発明が解決しようとする課題】
【０００５】
しかし、テレビ視聴機能を備える携帯端末装置の多くは、テレビ視聴とは異なる別のアプリケーションを実行しながら、バックグラウンドで、テレビ視聴のためのアプリケーションを実行することができない。このため、別のアプリケーションの実行を優先すると、テレビの音声もバックグラウンドで実行することもできないために、視聴したい番組の特定のシーン（場面）を見逃してしまうことがある。
【０００６】
本発明は、このような点を鑑みてなされたものであり、ユーザが視聴したい放送場面の見逃しを防止することができる携帯端末装置及び放送通知方法を提供することを目的とする。
【課題を解決するための手段】
【０００７】
本発明の一観点によれば、放送信号を受信する放送受信部と、前記放送受信部が受信した前記放送信号を処理して、音声情報と映像情報とを具備する放送情報を取得する放送処理部と、前記放送処理部が取得した前記放送情報に、視聴対象の放送場面に含まれる、少なくとも音または画像を表す場面情報が含まれているか否かを判定する場面判定部と、前記場面判定部が前記放送情報に前記場面情報が含まれていることを判定すると、前記放送場面が放送されていることを通知する放送通知部と、を有する携帯端末装置が提供される。
【０００８】
また、本発明の一観点によれば、放送場面が放送されていることを通知する上記携帯端末装置の放送通知方法が提供される。
【発明の効果】
【０００９】
開示の技術によれば、ユーザが視聴したい放送場面が放送されていることを通知することができるようになる。
【図面の簡単な説明】
【００１０】
【図１】第１の実施の形態に係る携帯端末装置の概念図である。
【図２】第１の実施の形態に係る携帯端末装置の放送場面の通知方法を説明するための図である。
【図３】第２の実施の形態に係る携帯端末装置のハードウェア構成の一例を示す図である。
【図４】第２の実施の形態に係る携帯端末装置が備える機能を示す機能ブロック図である。
【図５】第２の実施の形態に係る携帯端末装置が備える情報を示す図である。
【図６】第２の実施の形態に係る携帯端末装置で実行される放送通知処理を示すフローチャート（その１）である。
【図７】第２の実施の形態に係る携帯端末装置で実行される放送通知処理を示すフローチャート（その２）である。
【図８】第２の実施の形態に係る携帯端末装置で実行されるテレビ映像表示切替処理を示すフローチャートである。
【発明を実施するための形態】
【００１１】
以下、図面を参照して実施の形態について説明する。
［第１の実施の形態］
第１の実施の形態の携帯端末装置について図１を用いて説明する。
【００１２】
図１は、第１の実施の形態に係る携帯端末装置の概念図である。
携帯端末装置１は、図１に示すように、放送受信部２と、表示部３、場面情報保持部４、放送処理部５、場面判定部６、放送通知部７を備える。
【００１３】
放送受信部２は、放送信号を受信する、例えば、チューナである。
表示部３は、携帯端末装置１で実行される処理結果、放送受信部２が受信した放送内容等を表示する、例えば、ディスプレイである。
【００１４】
場面情報保持部４は、ユーザが視聴対象とする放送場面に含まれる、少なくとも音または画像を表す場面情報を予め保持する。
例えば、野球放送において、ある選手の打席の場面（シーン）では、実況アナウンサーから、その選手の名前が読み上げられることが考えられる。そこで、ユーザは、その選手の打席を視聴したい場合には、当該選手の打席のシーンに含まれる場面情報として、当該選手の名前（その発音）を場面情報保持部４に予め設定しておく。また、サッカー放送において、試合開始時には、審判によりキックオフの笛が吹かれると、観客から歓声が上がることがある。そこで、ユーザは、サッカーの試合の開始から視聴したい場合には、試合開始のシーンに含まれる場面情報として、笛の音（または歓声）を場面情報保持部４に予め設定しておく。また、別の例として、歌番組において、歌手が歌うシーンでは、その歌手が歌う際に司会による曲紹介において、その歌手の名前、歌われる歌詞のタイトルが読み上げられ、その歌手が映されることが考えられる。そこで、ユーザは、その歌手が歌うところを視聴したい場合には、当該歌手が歌うシーンに含まれる場面情報として、その歌手の名前（その発音）（または、その歌手が歌う歌の歌詞（その発音））、その歌手の顔の画像等を場面情報保持部４に予め設定しておく。このように場面情報保持部４が保持する場面情報には、名前、歌詞等の発音といったキーワード音、並びに笛の音、歓声等の背景音を有する音声情報と、顔等の画像を有する画像情報とが含まれる。
【００１５】
放送処理部５は、放送受信部２が受信した放送信号を処理して、音声情報と映像情報とを具備する放送情報を取得する。
場面判定部６は、放送処理部５が取得した放送情報に、視聴対象の放送場面に含まれる、少なくとも音または画像を表す場面情報が含まれているか否かを判定する。例えば、場面判定部６は、放送処理部５が取得した放送情報に、場面情報保持部４が保持する予め設定した場面情報が含まれているか否かを判定する。
【００１６】
放送通知部７は、場面判定部６が放送情報に場面情報が含まれていることを判定すると、放送場面が放送されていることを通知する。放送通知部７による通知は、例えば、表示部３にその旨を表示させ、また、図示しないスピーカからその旨の案内を出力させて通知することができる。
【００１７】
なお、携帯端末装置１が有する放送処理部５と、場面判定部６、放送通知部７は、例えば、携帯端末装置１が備える中央処理装置（ＣＰＵ：Central Processing Unit）によりプログラムが実行されることにより実現される。
【００１８】
次に、このような携帯端末装置１により実行される放送通知方法について図１並びに図２を用いて説明する。
図２は、第１の実施の形態に係る携帯端末装置の放送場面の通知方法を説明するための図である。
【００１９】
なお、図２（Ａ）では、携帯端末装置１が受信したメールを、図２（Ｂ）では、指定した放送場面（シーン）が放送されていることの通知を、図２（Ｃ）では、指定した放送場面が放送されているテレビ映像をそれぞれ表示部３に表示した場合を示している。
【００２０】
また、携帯端末装置１では、テレビ視聴アプリケーションによるテレビ視聴機能をバックグラウンドで起動しておく。なお、起動しておくテレビのチャンネルは、野球放送が放送されるチャンネルとするが、指定情報にチャンネル種別を追加し、複数チャンネルを対象に、場面判定後にテレビの視聴機能を起動するようにしてもよい。また、携帯端末装置１の場面情報保持部４では、例えば、当該野球放送で、ある野球選手の打席を視聴するために、当該選手の名前（その発音）が予め指定（登録）されている。
【００２１】
このような状態の携帯端末装置１がメールを受信すると、ユーザは、携帯端末装置１を操作して、図２（Ａ）に示すように、受信したメールを表示部３に表示させて、メールを閲覧する。
【００２２】
この際、携帯端末装置１の放送受信部２は野球放送の放送信号を受信し、放送処理部５は、その放送信号から、音声情報と映像情報とを具備する放送情報を取得する。
場面判定部６は、放送処理部５が取得した放送情報（音声情報）に、場面情報保持部４に登録している野球選手の名前（その発音）が含まれていることを判定する。すると、放送通知部７は、図２（Ｂ）に示すように、表示部３にその旨を表示させる。図２（Ｂ）の場合には、指定したシーンが放送されていることの案内とともに、当該シーンのテレビ映像への表示の切り替えを受け付けるボタンも表示している。
【００２３】
ユーザは、当該シーンのテレビ映像に表示を切り替える場合には、表示部３の「視聴する」のボタン（図２（Ｂ））をタッチすると、表示部３に、図２（Ｃ）に示すように、指定した野球選手が打席に立っているシーンが表示される。これで、ユーザは、指定していた選手の打席のシーンを見逃さずに視聴することができる。
【００２４】
上記携帯端末装置１では、場面判定部６により、放送処理部５が取得した放送情報に、視聴対象の放送場面に含まれる、少なくとも音または画像を表す場面情報が含まれているか否かを判定し、放送通知部７により、場面判定部６が放送情報に場面情報が含まれていることを判定すると、放送場面が放送されていることが通知される。
【００２５】
これにより、ユーザは、指定した放送場面が放送されていることが分かり、テレビ映像に表示を切り替えることができ、当該放送場面を逃すことなく視聴することができるようになる。
【００２６】
［第２の実施の形態］
第２の実施の形態では、第１の実施の形態の携帯端末装置についてより具体的に説明する。
【００２７】
まず、第２の実施の形態の携帯端末装置について図３を用いて説明する。
図３は、第２の実施の形態に係る携帯端末装置のハードウェア構成の一例を示す図である。
【００２８】
なお、図３（Ａ）は、携帯端末装置１００の正面図を、図３（Ｂ）は携帯端末装置１００に内蔵されているハードウェア構成をそれぞれ示している。
携帯端末装置１００には、図３に示されるように、装置全体を制御する制御ユニット２００と、ディスプレイ３１０及びタッチパネル３２０を備える表示ユニット３００、テレビの放送信号を、アンテナ４００ａを介して受信して、音声情報及び映像情報に復号するチューナ部４００、撮像を行う撮像部５００、スピーカ部６００、マイクロフォン部７００を備える。
【００２９】
制御ユニット２００には、さらに、ＣＰＵ２００ａと、メモリ部２００ｂ、フラッシュメモリ２００ｃ、グラフィック処理部２００ｄ、入出力インタフェース部２００ｅ、無線通信処理部２００ｆ、音声処理部２００ｇを互いにバス２００ｈで接続して備えている。
【００３０】
ＣＰＵ２００ａは、メモリ部２００ｂの記憶媒体に記憶された各種プログラムを実行することにより、この携帯端末装置１００全体を統括的に制御する。
メモリ部２００ｂは、例えば、ＲＡＭ（Random Access Memory）であって、ＣＰＵ２００ａに実行させるＯＳ（Operating System）並びにプログラムの少なくとも一部が一時的に格納される。メモリ部２００ｂには、ＣＰＵ２００ａによる処理に必要な各種データが格納される。また、ＣＰＵ２００ａによる処理に必要なプログラムが起動されると、当該プログラムが読み込まれる。
【００３１】
フラッシュメモリ２００ｃは、携帯端末装置１００上のＯＳやアプリケーションのプログラムが格納される。また、フラッシュメモリ２００ｃには、ＣＰＵ２００ａによる処理に必要な各種データ、ＣＰＵ２００ａで生成される各種データが格納される。
【００３２】
グラフィック処理部２００ｄには、表示手段である、図３の表示ユニット３００のディスプレイ３１０の表示装置が接続されている。このグラフィック処理部２００ｄは、ＣＰＵ２００ａからの命令にしたがって、表示ユニット３００のディスプレイ３１０の表示画面上に画像を表示させる。
【００３３】
入出力インタフェース部２００ｅには、表示ユニット３００のタッチパネル３２０と、アンテナ４００ａが接続されたチューナ部４００、レンズ５１０（図３（Ａ））を備える撮像部５００とが接続されている。入出力インタフェース部２００ｅは、これらの各部からの信号を、バス２００ｈを介してＣＰＵ２００ａに送信する。
【００３４】
無線通信処理部２００ｆは、アンテナ２００ｆａが接続されており、無線通信のためのＲＦ（Radio Frequency）回路や、送受信信号の変復調回路などを備える。携帯端末装置１００は、無線通信処理部２００ｆ及びアンテナ２００ｆａを介して基地局と無線通信することで、他の携帯端末装置等の情報処理機器との間でデータの送受信や音声通話を行うことが可能になる。
【００３５】
音声処理部２００ｇは、スピーカ部６００及びマイクロフォン部７００が接続されている。音声処理部２００ｇは、通話が行われる際、マイクロフォン部７００によって収音された音声信号をエンコードして、無線通信処理部２００ｆに供給する。これとともに、音声処理部２００ｇは、無線通信処理部２００ｆによって受信電波から復調された音声信号をデコードして増幅し、通話音声をスピーカ部６００に再生出力させる。
【００３６】
以上のハードウェア構成によって、本実施の形態の処理機能を実現することができる。
次に、このようなハードウェア構成を有する携帯端末装置１００においてＣＰＵ２００ａがプログラムを実行することにより実現される機能について図４及び図５を用いて説明する。
【００３７】
図４は、第２の実施の形態に係る携帯端末装置が備える機能を示す機能ブロック図である。
図５は、第２の実施の形態に係る携帯端末装置が備える情報を示す図であり、図５（Ａ）は検出背景音情報保持部２０１、図５（Ｂ）は検出キーワード音情報保持部２０２、図５（Ｃ）は検出画像情報保持部２０３がそれぞれ保持する情報を示している。
【００３８】
携帯端末装置１００は、まず、図４に示されるように、検出背景音情報保持部２０１と、検出キーワード音情報保持部２０２、検出画像情報保持部２０３を備える。
これらの各保持部は、図５に示されるような情報をそれぞれ保持している。
【００３９】
検出背景音情報保持部２０１は、図５（Ａ）に示すように、例えば、歓声、ため息、拍手、ブーイング等の背景に流れる音に関する音声情報（背景音テーブル）を保持している。また、検出背景音情報保持部２０１では、視聴対象の放送場面に含まれる検出対象の背景音の一例として、「歓声」が設定されている。なお、背景音テーブルの音声情報としては、例えば、一般的な歓声、拍手、ブーイング等に対応する音の強さ（デシベル）の値が登録される。
【００４０】
検出キーワード音情報保持部２０２は、図５（Ｂ）に示されるように、例えば、ＡＢＣ、ＤＥＦＧといった選手名、ＨＩＪＫといった歌手名等の人名、ＬＭＮＯといったある番組のコーナ名等の単語の発音の音声情報（キーワード音テーブル）を保持している。また、検出キーワード音情報保持部２０２では、視聴対象の放送場面に含まれる検出対象のキーワード音の一例として、「ＡＢＣ（選手名）」が設定されている。
【００４１】
検出画像情報保持部２０３は、図５（Ｃ）に示されるように、検出キーワード音情報保持部２０２に対応して、選手のＡＢＣ，ＤＥＦＧの顔と、歌手のＨＩＪＫの顔とのそれぞれの画像情報（画像テーブル）を保持している。また、検出画像情報保持部２０３では、視聴対象の放送場面に含まれる検出対象の画像の一例として、「ＡＢＣ（選手名）」が設定されている。なお、検出画像情報保持部２０３では、検出キーワード音情報保持部２０２が保持する選手名に対応した当該選手名の顔画像を保持させているが、検出キーワード音情報保持部２０２が保持する単語に対応した画像を保持させていることができる。また、検出画像情報保持部２０３は、検出キーワード音情報保持部２０２が保持する単語とは関わりがない画像を保持させることも可能である。
【００４２】
また、検出背景音情報保持部２０１と、検出キーワード音情報保持部２０２、検出画像情報保持部２０３には、事前にユーザにより音声情報並びに画像情報が登録される。なお、これらの情報は、例えば、携帯端末装置１００によりインターネットにアクセスし、サンプルとなるような背景音、画像等をダウンロードして登録することも可能である。また、検出対象とする放送場面に含まれる各情報もユーザにより事前に設定される。例えば、ユーザがある野球選手の打席のシーンを視聴したい場合には、野球放送ではその選手が打席に入る際には、その選手が映されて、その選手の名前（「ＡＢＣ」）が呼ばれ、歓声が上がることを想定し、検出背景音情報保持部２０１では「歓声」が、検出キーワード音情報保持部２０２では「ＡＢＣ（選手名）」が、検出画像情報保持部２０３では「ＡＢＣ（選手名）の顔画像」が検出対象として設定されている。また、別の例えとして、ユーザが歌番組で３人組のある歌手グループが歌うシーンを視聴したい場合には、その３人が同時に映されることを想定し、検出画像情報保持部２０３では、それぞれ３人の顔画像（図５では不図示）を検出対象として設定する。
【００４３】
携帯端末装置１００は、さらに、音声抽出部２０４と、映像抽出部２０５、背景音判定処理部２０６、キーワード音判定処理部２０７、画像判定処理部２０８、放送通知制御部２０９、表示制御部２１０の機能を備える。
【００４４】
音声抽出部２０４は、チューナ部４００がアンテナ４００ａを介して受信した放送信号から復号した音声信号及び映像信号のうち、音声信号を抽出する。
映像抽出部２０５は、チューナ部４００がアンテナ４００ａを介して受信した放送信号から復号した音声信号及び映像信号のうち、映像信号を抽出する。
【００４５】
背景音判定処理部２０６は、検出背景音情報保持部２０１を参照して、音声抽出部２０４が抽出した音声信号に、検出背景音情報保持部２０１において検出対象として設定した背景音が含まれているか否かを判定する。
【００４６】
キーワード音判定処理部２０７は、検出キーワード音情報保持部２０２を参照して、音声抽出部２０４が抽出した音声信号に、検出キーワード音情報保持部２０２において検出対象として設定したキーワード音が含まれているか否かを判定する。
【００４７】
画像判定処理部２０８は、検出画像情報保持部２０３を参照して、映像抽出部２０５が抽出した映像信号に、検出画像情報保持部２０３において検出対象として設定した顔画像が含まれているか否かを判定する。
【００４８】
放送通知制御部２０９は、検出背景音情報保持部２０１と、検出キーワード音情報保持部２０２、検出画像情報保持部２０３から、検出対象として設定されている背景音、キーワード音、顔画像を読み取る。また、放送通知制御部２０９は、背景音判定処理部２０６と、キーワード音判定処理部２０７、画像判定処理部２０８の判定結果に基づき、ユーザの視聴対象の放送場面（シーン）が放送されていることを表示制御部２１０に通知する。
【００４９】
表示制御部２１０は、放送通知制御部２０９からの放送通知を受信すると、切り替え設定が手動であれば、表示設定が視聴対象の放送場面（シーン）が放送されている旨のメッセージの表示を行い、タッチパネル３２０を介して切り替え操作がなされたならば、ディスプレイ３１０の表示をテレビ映像に切り替える。
【００５０】
次に、このような機能を有する携帯端末装置１００で実行される放送場面が放送されていることを通知する放送通知処理について図６及び図７を用いて説明する。
図６及び図７は、第２の実施の形態に係る携帯端末装置で実行される放送通知処理を示すフローチャートである。
【００５１】
携帯端末装置１００では、放送通知処理を実行する前に、ユーザからのタッチパネル３２０に対する操作入力に基づき、図５に示されるように、検出背景音情報保持部２０１と、検出キーワード音情報保持部２０２、検出画像情報保持部２０３に任意の背景音と、キーワード音、顔画像がそれぞれ登録される。また、登録した中から、視聴対象の放送場面（シーン）に含まれると考えられるものに、検出対象であること（「ＯＮ」）が設定される。
【００５２】
このような初期設定後、携帯端末装置１００は、放送信号を、アンテナ４００ａを介してチューナ部４００で受信するごとに以下の処理が実行される。
［ステップＳ１１］  放送通知制御部２０９は、検出背景音情報保持部２０１と、検出キーワード音情報保持部２０２、検出画像情報保持部２０３を参照し、各保持部の検出設定状況を読み取る。
【００５３】
例えば、図５の場合には、検出背景音情報保持部２０１からは検出設定されている「歓声」、検出キーワード音情報保持部２０２及び検出画像情報保持部２０３からは「ＡＢＣ（選手名）」及び「ＡＢＣ（選手名）の顔画像」が読み取られる。
【００５４】
［ステップＳ１２］  放送通知制御部２０９は、ステップＳ１１で少なくとも１つの検出設定を読み取ったか否かを判定する。
次の処理は、検出設定が少なくとも１つ読み取られた場合にはステップＳ１３の処理が実行され、検出設定が１つも読み取られていない（検出設定無し）場合には、放送通知処理が終了される。
【００５５】
例えば、図５の場合には、検出背景音情報保持部２０１には「歓声」が、検出キーワード音情報保持部２０２及び検出画像情報保持部２０３には「ＡＢＣ（選手名）」及び「ＡＢＣ（選手名）の顔画像」が設定されていることから、読み取った検出設定が少なくとも１つあることが判定されて、ステップＳ１３の処理が実行される。
【００５６】
［ステップＳ１３］  背景音判定処理部２０６は、検出背景音情報保持部２０１を参照し、検出設定（「ＯＮ」）が含まれているか否かを判定する。
次の処理は、検出設定が含まれている場合にはステップＳ１４の処理が実行され、検出設定が含まれていない場合にはステップＳ１７の処理が実行される。
【００５７】
例えば、図５の場合には、検出背景音情報保持部２０１の「歓声」が検出対象として設定されている（検出設定を含む）ために、ステップＳ１４の処理が実行される。
［ステップＳ１４］  背景音判定処理部２０６は、音声抽出部２０４が抽出した放送信号の音声信号から背景音の解析を実行する。
【００５８】
［ステップＳ１５］  背景音判定処理部２０６は、ステップＳ１４で解析した背景音に、検出背景音情報保持部２０１で検出設定した背景音が含まれているか否かを判定する。
次の処理は、ステップＳ１４で解析した背景音に、検出背景音情報保持部２０１で検出設定した背景音が含まれている場合には、ステップＳ２５に進められ、含まれていない場合には、ステップＳ１６に進められる。
【００５９】
［ステップＳ１６］  背景音判定処理部２０６は、検出背景音情報保持部２０１において全ての検出設定した背景音に対する、解析した背景音との判定が終了したか否かを判定する。
【００６０】
次の処理は、全ての検出設定した背景音の判定が終了していない場合には、再び、ステップＳ１４の処理が実行され、判定が終了している場合には、ステップＳ１７の処理が実行される。
【００６１】
［ステップＳ１７］  キーワード音判定処理部２０７は、検出キーワード音情報保持部２０２を参照し、検出設定（「ＯＮ」）が含まれているか否かを判定する。
検出設定が含まれている場合にはステップＳ１８の処理が実行され、検出設定が含まれていない場合にはステップＳ２１の処理が実行される。
【００６２】
例えば、図５の場合には、検出キーワード音情報保持部２０２の「ＡＢＣ（選手名）」が検出対象として設定されている（検出設定を含む）ために、ステップＳ１８の処理が実行される。
【００６３】
［ステップＳ１８］  キーワード音判定処理部２０７は、音声抽出部２０４が抽出した放送信号の音声信号からキーワード音の解析を実行する。
［ステップＳ１９］  キーワード音判定処理部２０７は、ステップＳ１８で解析したキーワード音に、検出キーワード音情報保持部２０２で検出設定したキーワード音に関する情報が含まれているか否かを判定する。
【００６４】
次の処理は、ステップＳ１８で解析したキーワード音に、検出キーワード音情報保持部２０２で検出設定したキーワード音に関する情報が含まれている場合には、ステップＳ２５に進められ、含まれていない場合には、ステップＳ２０に進められる。
【００６５】
［ステップＳ２０］  キーワード音判定処理部２０７は、検出キーワード音情報保持部２０２において全ての検出設定したキーワード音に対する、解析したキーワード音との判定が終了したか否かを判定する。
【００６６】
次の処理は、全ての検出設定したキーワード音の判定が終了していない場合には、再び、ステップＳ１８の処理が実行され、判定が終了している場合には、ステップＳ２１の処理が実行される。
【００６７】
［ステップＳ２１］  画像判定処理部２０８は、検出画像情報保持部２０３を参照し、検出設定（「ＯＮ」）が含まれているか否かを判定する。
次の処理は、検出設定が含まれている場合にはステップＳ２２の処理が実行され、検出設定が含まれていない場合にはステップＳ２５の処理が実行される。
【００６８】
例えば、図５の場合には、検出画像情報保持部２０３の「ＡＢＣ（選手名）の顔画像」が検出対象として設定されている（検出設定を含む）ために、ステップＳ２２の処理が実行される。
【００６９】
［ステップＳ２２］  画像判定処理部２０８は、映像抽出部２０５が抽出した放送信号の画像信号から顔画像の解析を実行する。
［ステップＳ２３］  画像判定処理部２０８は、ステップＳ２２で解析した顔画像に、検出画像情報保持部２０３で検出設定した顔画像に関する情報が含まれているか否かを判定する。
【００７０】
次の処理は、ステップＳ２２で解析した顔画像に、検出画像情報保持部２０３で検出設定した顔画像に関する情報が含まれている場合には、ステップＳ２５に進められ、含まれていない場合には、ステップＳ２４に進められる。
【００７１】
［ステップＳ２４］  画像判定処理部２０８は、検出画像情報保持部２０３において全ての検出設定した顔画像に対する、解析した顔画像との判定が終了したか否かを判定する。
【００７２】
次の処理は、全ての検出設定した顔画像の判定が終了していない場合には、再び、ステップＳ２２の処理が実行され、判定が終了している場合には、放送通知処理が終了される。
【００７３】
［ステップＳ２５］  放送通知制御部２０９は、ディスプレイ３１０の表示を、ユーザが視聴対象とする放送場面（シーン）が放送されていることを、（表示制御部２１０に）通知する。
【００７４】
以上により、放送通知処理が終了する。
次に、携帯端末装置１００において、アプリケーションを実行している間に、視聴対象の放送場面が放送されている旨の通知のイベントの発生により、ディスプレイ３１０の表示を当該放送場面が放送されているテレビ映像に切り替えるテレビ映像表示切替処理について図８を用いて説明する。
【００７５】
図８は、第２の実施の形態に係る携帯端末装置で実行されるテレビ映像表示切替処理を示すフローチャートである。
［ステップＳ３１］  携帯端末装置１００の制御ユニット２００では、イベントの発生を待ち受ける。
【００７６】
イベントとしては、例えば、メールの受信・送信・作成、ブラウザの起動、その他のアプリケーションの起動等である。
［ステップＳ３２］  携帯端末装置１００の制御ユニット２００は、ステップＳ３１でイベントが発生したか否かを判定する。
【００７７】
イベントが発生していない場合ステップＳ３１へ進み、イベントが発生すると、ステップＳ３３の処理が実行される。
［ステップＳ３３］  携帯端末装置１００の制御ユニット２００は、ステップＳ３２で発生を判定したイベントが、図６及び図７の処理で発生した放送通知のイベントか否かを判定する。
【００７８】
放送通知のイベントではない場合にはステップＳ３４の処理が実行され、放送通知のイベントである場合にはステップＳ３５の処理が実行される。
［ステップＳ３４］  携帯端末装置１００の制御ユニット２００は、ステップＳ３２で判定したイベントを実行する。
【００７９】
［ステップＳ３５］  表示制御部２１０は、放送通知制御部２０９から放送場面が放送されている旨が通知されると（ステップＳ２５（図７））、ディスプレイ３１０の表示のテレビ映像への切り替え手段の設定が自動か手動かを判定する。
【００８０】
次の処理は、テレビ映像への切り替え手段が手動設定されている場合にはステップＳ３６の処理に進められ、自動設定されている場合には、ステップＳ３８の処理に進められる。
【００８１】
なお、テレビ映像への切り替え手段の自動または手動の設定は、ユーザが事前にタッチパネル３２０に対する操作入力により行われる。
［ステップＳ３６］  表示制御部２１０は、ディスプレイ３１０に、視聴対象の放送場面が放送されていることを表示させるとともに、当該放送場面を放送するテレビ映像への切り替えボタンを表示させる。
【００８２】
［ステップＳ３７］  表示制御部２１０は、ディスプレイ３１０に表示している視聴対象の放送場面を放送するテレビ映像への切り替えボタンに対する操作入力を待ち受ける。
当該操作入力を受け付けると、ステップＳ３８の処理が実行される。
【００８３】
［ステップＳ３８］  表示制御部２１０は、ディスプレイ３１０に視聴対象の放送場面を放送するテレビ映像を表示させる。
このようにして、ユーザは、視聴対象の放送場面を見逃すことなく、当該放送場面を視聴することができる。
【００８４】
なお、第２の実施の形態では、図５の検出背景音情報保持部２０１と、検出キーワード音情報保持部２０２、検出画像情報保持部２０３において、検出対象として、３種類の「歓声」と、「ＡＢＣ（選手名）」、「ＡＢＣ（選手名）の顔画像」を設定した場合について説明した。検出対象はこのような３種類の設定に限らず、視聴対象の放送場面に含まれるものを検出対象とすることができる。但し、検出対象は１種類よりも複数種類を設定することで、視聴対象の放送場面が放送されていることの検出精度を向上させることができる。また、検出順番も自由に変更してもかまわない。
【００８５】
例えば、スポーツ放送、歌番組等で特定の選手、特定の歌手といった人物の放送場面を視聴したい場合には、検出キーワード音情報保持部２０２の当該人物の名前（その発音）だけでなく、検出画像情報保持部２０３においてその人物の顔画像を検出対象として設定することで、その人物が実際に表示されている放送場面を放送していることを精度良く検出することが可能となる。別の例として、野球またはサッカー等の競技の放送において、ホームラン、ゴール等の得点の場面を視聴したい場合には、実況アナウンサーが「ホームラン」、「ゴール」と発声することが考えられる。そこで、図５において、検出キーワード音情報保持部２０２では検出対象として「ホームラン」または「ゴール」（ともに不図示）を設定することが考えられる。さらに、「ホームラン」、「ゴール」の際には観客から歓声が上がることが考えられることから、検出背景音情報保持部２０１において、「歓声」も設定することで、実際に得点の放送場面を放送しているところを検出することが可能となる。
【００８６】
上記携帯端末装置１００では、背景音判定処理部２０６と、キーワード音判定処理部２０７、画像判定処理部２０８により、音声抽出部２０４及び映像抽出部２０５が抽出した音声情報及び映像情報に、視聴対象の放送場面に含まれる、背景音と、キーワード音、顔画像の情報が含まれているか否かを判定する。放送通知制御部２０９により、これらの各判定処理部の判定状況に基づき、放送場面が放送されていることが表示制御部２１０に通知される。表示制御部２１０は、放送場面が放送されていることが通知されると、ディスプレイ３１０に当該放送場面を放送しているテレビ映像に表示を切り替えさせるような表示を行う。
【００８７】
これにより、ユーザは、指定した放送場面が放送されていることが分かり、また、当該放送場面が放送されているテレビ映像に表示が切り替えられるために、当該放送場面を逃すことなく視聴することができるようになる。
【００８８】
また、視聴対象の放送場面に含まれる検出設定を複数行うことで、視聴対象の放送場面が放送されていることの検出精度が向上する。
また、上記の処理機能は、コンピュータによって実現することができる。その場合、コンピュータが有すべき機能の処理内容を記述したプログラムが提供される。そのプログラムをコンピュータで実行することにより、上記処理機能がコンピュータ上で実現される。
【００８９】
処理内容を記述したプログラムは、コンピュータで読み取り可能な記録媒体に記録しておくことができる。コンピュータで読み取り可能な記録媒体には、磁気記憶装置、光ディスク、光磁気記憶媒体、半導体メモリ等がある。磁気記憶装置には、ＨＤＤ、フレキシブルディスク（ＦＤ）、磁気テープ（ＭＴ）等がある。光ディスクには、ＤＶＤ（Digital Versatile Disc）、ＤＶＤ−ＲＡＭ、ＣＤ−ＲＯＭ（Compact Disc - Read Only Memory）、ＣＤ−Ｒ（Recordable）／ＲＷ（ReWritable）等がある。光磁気記憶媒体には、ＭＯ（Magneto - Optical disk）等がある。半導体メモリには、ＵＳＢ（Universal Serial Bus）メモリ等のフラッシュメモリがある。
【００９０】
上記プログラムを流通させる場合には、例えば、そのプログラムが記録されたＤＶＤ、ＣＤ−ＲＯＭ等の可搬型記録媒体が販売される。また、プログラムをサーバコンピュータに格納しておき、ネットワークを介して、サーバコンピュータから他のコンピュータにそのプログラムを転送することもできる。
【００９１】
上記プログラムを実行するコンピュータは、例えば、可搬型記録媒体に記録されたプログラム若しくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【００９２】
また、プログラムで記述された処理の一部または全てを、電子回路に置き換えることが可能である。例えば、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現してもよい。
【００９３】
なお、上述の実施の形態は、実施の形態の要旨を逸脱しない範囲内において種々の変更を加えることができる。
【符号の説明】
【００９４】
１  携帯端末装置
２  放送受信部
３  表示部
４  場面情報保持部
５  放送処理部
６  場面判定部
７  放送通知部
【図１】
2015126266.tif 000003
【図２】
2015126266.tif 000004
【図３】
2015126266.tif 000005
【図４】
2015126266.tif 000006
【図５】
2015126266.tif 000007
【図６】
2015126266.tif 000008
【図７】
2015126266.tif 000009
【図８】
2015126266.tif 000010